(57)【特許請求の範囲】
【請求項１】
おむつの前後方向に前胴周り域と後胴周り域とこれら両域間に位置する股下域とが並び、前記前後方向へ延びる両側縁部と、前記前後方向に交叉して前記おむつの幅方向へ延びる前端縁部と後端縁部とを有し、前記両側縁部のそれぞれには、前記前後胴周り域の側縁部どうしを連結可能であって互いに並行して前記幅方向へ延びる２条の連結手段が設けられている開放型の使い捨ておむつにおいて、
前記２条の連結手段は、前記幅方向へ弾性的に伸長可能に形成された、前記前胴周り域の前記側縁部から外方へ延びる上方連結手段と、前記後胴周り域の前記側縁部から外方へ延びる下方連結手段とから構成されており、
前記下方連結手段の伸長応力が前記上方連結手段の伸長応力よりも高く、
前記下方連結手段の前記後胴周り域の前記側縁部に固定された基端部が、該側縁部の上下方向の長さ寸法とほぼ同じ長さ寸法を有しており、
着用状態において、前記上方連結手段の前記下方連結手段とが互いに部分的に重なり合うように形成されていることを特徴とする前記使い捨ておむつ。
【請求項２】
前記下方連結手段の３０％伸長時における応力は、前記上方連結手段の３０％伸長時における応力の１．２〜２倍の範囲にある請求項１記載の開放型の使い捨ておむつ。
【発明の詳細な説明】
【０００１】
【発明の属する技術分野】
この発明は、開放型の使い捨ておむつに関する。
【０００２】
【従来の技術】
特開平７−２２７４０３号公報には、開放型の使い捨ておむつが開示されている。このおむつの後胴周り域の両側縁部からは、上下一対のテープファスナが胴周り方向外方へ互いに並行して延びている。これらテープファスナは、伸縮性の弾性部を介して裏面シートに取り付けられている。テープファスナは、その弾性部を胴周り方向へ伸長させながら前胴周り域に止めることができる。上下一対のテープファスナのうちで、上方のテープファスナは、着用者の主として胴周りにおむつを密着させることができ、下方のテープファスナは、主として脚周りにおむつを密着させることができる。
【０００３】
【発明が解決しようとする課題】
前記従来技術において、上下一対のテープファスナには、ほぼ同じ弾性部が形成されているから、おむつを着用させるときに着用者の胴周りと脚周りとにおむつをきつくまたはゆるく密着させることはできても、例えば脚周りをきつく密着させて脚周りからの体液漏れを防ぐ一方、胴周りをゆるく密着させて着用者の腹式呼吸を妨げないようにすることは難しい。弾性部が高い引張り応力を有するものである場合に、おむつをゆるく肌に密着させようとしてこの弾性部をあまり引張ることがなければ、おむつと肌との間に隙間を生じ易く、そこから体液が漏出しかねない。
【０００４】
この発明は、側縁部に互いに並行する一対のテープファスナ等の連結手段を有する開放型の使い捨ておむつの改良に係り、それら連結手段を使用して着用者の胴周りと脚周りとにおむつをほどよい力で密着させることができるようにすることを課題にしている。
【０００５】
【課題を解決するための手段】
前記課題解決のために、この発明が対象とするのは、おむつの前後方向に前胴周り域と後胴周り域とこれら両域間に位置する股下域とが並び、前記前後方向へ延びる両側縁部と、前記前後方向に交叉して前記おむつの幅方向へ延びる前端縁部と後端縁部とを有し、前記両側縁部のそれぞれには、前記前後胴周り域の側縁部どうしを連結可能であって、互いに並行して前記幅方向へ延びる２条の連結手段が設けられている開放型の使い捨ておむつである。
【０００６】
かかる開放型の使い捨ておむつにおいて、この発明が特徴とするところは、前記２条の連結手段は、前記幅方向へ弾性的に伸長可能に形成された、前記前胴周り域の前記側縁部から外方へ延びる上方連結手段と、前記後胴周り域の前記側縁部から外方へ延びる下方連結手段とから構成されており、前記下方連結手段の伸長応力が前記上方連結手段の伸長応力よりも高く、前記下方連結手段の前記後胴周り域の前記側縁部に固定された基端部が、該側縁部の上下方向の長さ寸法とほぼ同じ長さ寸法を有しており、着用状態において、前記上方連結手段の前記下方連結手段とが互いに部分的に重なり合うように形成されていること、にある。
【０００７】
この発明の好ましい実施態様の一つにおいて、前記下方連結手段の３０％伸長時の応力は、前記上方連結手段の３０％伸長時における応力の１．２〜２倍の範囲にある。
【０００８】
【発明の実施の形態】
添付の図面を参照し、この発明に係る使い捨ておむつの詳細を説明すると、以下のとおりである。
【０００９】
図１、２は、着用状態にあるおむつ１の側面図と、おむつ１の部分破断平面図である。おむつ１は開放型のもので、透液性表面シート２と、不透液性裏面シート３と、これら両シート２，３間に介在する吸液性コア４とを有する。表裏面シート２，３は、コア４の周縁から延出して重なり合い、互いに接合して前後端縁部フラップ１１，１２と両側縁部フラップ１３とを形成している。これらフラップ１１，１２，１３では、表裏面シート２，３の内側に前胴周り弾性部材１６と後胴周り弾性部材１７と、脚周り弾性部材１８とが伸長状態で取り付けられている。おむつ１の前後方向には前胴周り域６と、後胴周り域７と、これら両域６，７間に介在する股下域８とが位置している。後胴周り域７における側縁部フラップ１３からは、前後胴周り域６，７を互いに連結するための手段である上方テープファスナ２１と（上方連結手段）下方テープファスナ２２（下方連結手段）とが図２においておむつ１の前後方向と交叉する幅方向の外方へ延びている。これら２条のテープファスナ２１，２２は、ウレタンゴムその他のエラストマーからなるテープ状のものであっておむつ１の幅方向へ弾性的に伸長可能な上方伸長部２３および下方伸長部２４と、おむつ１の幅方向へ非伸長性の上方止着部２６および下方止着部２７とを有している。上方伸長部２３および下方伸長部２４の基端部分２３ａ，２４ａは裏面シート３の外面に取り付けられ、これら伸長部２３，２４それぞれの先端部分には上方止着部２６及び下方止着部２７が形成されている。上方止着部２６および下方止着部２７の内面には、マジックテープ（登録商標）等の商品名で知られるメカニカルファスナの雄部材２８が設けられているが、これら止着部２６，２７の先端部分には、そこを摘持することが容易となるように雄部材２８が設けられていない。おむつ１における前胴周り域６の外面には、メカニカルファスナの雌部材からなる上方ターゲットテープ３１と下方ターゲットテープ３２とが取り付けられており、これらテープ３１，３２に対しては、上方テープファスナ２１および下方テープファスナ２２が着脱可能である。
【００１０】
これら上方テープファスナ２１および下方テープファスナ２２において、下方テープファスナ２２の下方伸長部２４は、それを３０％伸長したときの応力が上方テープファスナ２１の上方伸長部２３を３０％伸長したときの応力の１．２〜２倍となるように作られている。そのようなおむつ１を着用するときには、下方テープファスナ２２を強く引張って下方伸長部２４を伸ばしながら下方ターゲットテープ３２に止着しておむつ１を着用者の脚周りにきつく密着させて、体液が漏れないようにすることができる。また、上方テープファスナ２１は弱く引張りながら上方ターゲットテープ３１に止着して、着用者の腹部を圧迫することがないようにおむつ１を腹部にゆるく密着させることができる。
【００１１】
図３，４は、この発明の実施態様の一例を示す図１，２と同様の図面である。このおむつ１では、前胴周り域６の側縁部フラップ１３から外方へ上方テープファスナ２１が延びる一方、後胴周り域７の側縁部フラップ１３から外方へ下方テープファスナ２２が延びている。おむつ１の後胴周り域７の外面には、上方テープファスナ２１が着脱可能な上方ターゲットテープ３１が取り付けられており、前胴周り域６の外面には、下方テープファスナ２２が着脱可能な下方ターゲットテープ３２が取り付けられている。このように形成されたおむつ１は、図１，２のそれと同様な作用・効果を有する。加えて、図１，２のおむつ１であれば、これを着用した乳幼児が上方テープファスナ２１を故意に外すことも可能であったが、図３，４のおむつ１では、そのようなことが殆ど不可能になる。このおむつ１においても、下方伸長部２４の３０％伸長時の応力は、上方伸長部２３におけるそれの１．２〜２倍の範囲にある。
【００１２】
図５，６は、この発明の実施態様の一例を示す図３，４と同様な図面である。この場合のおむつ１が図３，４のそれと異なるのは、下方テープファスナ２２における基端部分２４ａの上下方向の寸法が後胴周り域７における側縁部フラップ１３の上下方向の寸法とほぼ同じであって、図３，４における基端部分２４ａよりも大きく作られている点である。かかるおむつ１では、下方テープファスナ２２を前胴周り域６の下方ターゲットテープ３２に止着してから、上方テープファスナ２１を後胴周り域７の上方ターゲットテープ３１に止着する。両テープファスナ２１，２２は、上下方向において互いに対向する、上方テープファスナ２１の下側縁部と下方テープファスナ２２の上側縁部とが互いに部分的に重なり合うことによって、胴周り側部において生じる前胴周り域６と後胴周り域７との間の隙間３５（図３参照）を塞ぐことができる。
【００１３】
この発明において、上方テープファスナ２１と下方テープファスナ２２とにおける上方伸長部２３と下方伸長部２４とは、それらの基端部分２３a,２４aを非伸長性の材料で作ることができる。また、これら両伸長部２３，２４にＹ字形テープを使用することによって、それぞれの基端部分２３a,２４aをおむつ１における側縁部フラップ１３の内面に接合する内側テープ部と外面に接合する外側テープ部とで構成し、これら基端部分２３ａ,２４aを側縁部フラップ１３に強固に取り付けることもできる。この発明のおむつ１で使用される上方テープファスナ２１と下方テープファスナ２２において、おむつ１の胴周り方向の寸法及び上下方向の寸法に格別の規定はない。
【００１４】
【発明の効果】
この発明に係る使い捨ておむつは、連結された側縁部どうしの上方および下方に位置する弾性的に伸長可能な２条の連結手段を有し、上方の連結手段は伸長応力が低く、下方の連結手段は伸長応力が高い。このようなおむつは、着用者の脚周りにきつく密着させて体液の漏れを防ぐことができ、胴周りにはゆるく密着させて乳幼児の腹式呼吸の妨げになることを回避することができる。
【図面の簡単な説明】
【図１】着用状態にある使い捨ておむつの側面図。
【図２】図１の使い捨ておむつの部分破断平面図。
【図３】実施態様の一例を示す図１と同様な図面。
【図４】実施態様の一例を示す図２と同様な図面。
【図５】実施態様の一例を示す図３と同様な図面。
【図６】実施態様の一例を示す図４と同様な図面。
【符号の説明】
１  使い捨ておむつ
６  前胴周り域
７  後胴周り域
８  股下域
１１  前端縁部
１２  後端縁部
１３  側縁部
２１  上方連結手段（上方テープファスナ）
２２  下方連結手段（下方テープファスナ）
【図１】
0004633303.tif 000002
【図２】
0004633303.tif 000003
【図３】
0004633303.tif 000004
【図４】
0004633303.tif 000005
【図５】
0004633303.tif 000006
【図６】
0004633303.tif 000007